(57)【要約】【課題】  提供者が紙片上に印刷などにより施して隠蔽した状態にある情報や内容を、使用者が自ら選択して確認する際に、ゴミが発生せず、開封の煩わしさのない情報担体シートを提供する。【解決手段】  本発明に係る情報担体シート１０は、剥離後に再接着が困難な、選択して剥離される２つ以上の紙片Ａ，Ｃを備えてなり、剥離された各紙片の内側Ｂ１、Ｂ２には少なくとも選択情報α１、α２が施されていることを特徴としている。【選択図】      図１
2005067141.tif 000002
【特許請求の範囲】
【請求項１】
剥離後に再接着が困難な、選択して剥離される２つ以上の紙片を備えてなり、剥離された各紙片の内側には少なくとも選択情報が施されていることを特徴とする情報担体シート
【請求項２】
前記紙片はハガキとして機能し、各紙片は三つ折りをなしており、前記選択情報は剥離される紙片の内側に配置されてなることを特徴とする請求項１に記載の情報担体シート。
【請求項３】
前記紙片はハガキとして機能し、各紙片は四つ折りをなしており、前記選択情報はミシン目を用いて剥離される紙片の内側に配置されてなることを特徴とする請求項１に記載の情報担体シート。
【請求項４】
前記紙片はハガキとして機能し、各紙片は四つ折りをなしており、前記選択情報は観音開きにより剥離される紙片の内側に配置されてなることを特徴とする請求項１に記載の情報担体シート。
【発明の詳細な説明】
【技術分野】
【０００１】
本発明は、選択して剥離される紙片に、剥離作業を行う者が自分で選択して得ることが可能な情報（以下、選択情報と呼ぶ）を備えてなる情報担体シートに関する。本発明に係る情報担体シートは、くじや占い、引換券、割引券等として利用される。
【背景技術】
【０００２】
従来、くじや占い等に利用される情報担体シートは、そのくじや占い等に係わる情報あるいは内容の提供者が、当該情報や内容を紙片上に印刷するとともに隠蔽した状態に加工して、提供者から使用者に供給されていた。上記隠蔽した状態の種類により、例えばスクラッチ型や封書型のものが挙げられる（例えば、特許文献１、特許文献２を参照）。
【０００３】
スクラッチ型とは、硬貨や爪などで擦ることにより、隠蔽された状態にある情報を確認できる型式であり、例えば特許文献１には、不透明なインキを文字上に印刷することにより形成した隠蔽部材を削ぎ落とす方法が開示されている。
【０００４】
また、特許文献２には、目視上ほとんど目立たないが、硬貨などの金属で擦ると文字が現れる方法が開示されている。この方法では、擦る金属よりも硬度が大きい材料を用いて文字や絵柄の印刷を施しておくことで、硬貨などの金属で擦るとその金属が削れて印刷物に付着するため、文字が現れるもの方法である。
【０００５】
何れの方法によっても、スクラッチ型の場合、使用者が紙片上に印刷された情報を確認するためには、例えばアルミニウム被膜からなる隠蔽部材を削り取る作業を行う必要があり、またゴミとなる削りかすの発生は免れない。通常、スクラッチ作業はコインや爪などを用いて行われるが、その際のゴミ発生は使用者に不快感を与えるとともに、使用される環境を不衛生にすることからも問題となっていた。
【０００６】
これに対して封書型の場合、提供者は上記情報や内容が印刷された紙片を個別に封筒状の包みに格納する作業が必要であり、かつ、使用者はその包みをいちいち開封する手間を要するという問題があった。
【０００７】
上述した情報担体シートに関する先行技術文献としては、以下に挙げるものが知られている。
【特許文献１】実公昭４４−１２０９４号公報
【特許文献２】特公平６−７８０８９号公報
【発明の開示】
【発明が解決しようとする課題】
【０００８】
本発明は上記事情に鑑みてなされたもので、提供者が紙片上に印刷などにより施して隠蔽した状態にある情報や内容を、使用者が自ら選択して確認する際に、ゴミが発生せず、開封の煩わしさのない情報担体シートを提供することを目的とする。
【課題を解決するための手段】
【０００９】
本発明に係る情報担体シートは、剥離後に再接着が困難な、選択して剥離される２つ以上の紙片を備えてなり、剥離された各紙片の内側には少なくとも選択情報が施されていることを特徴としている。
【００１０】
上記構成のように、情報担体シートが剥離後に再接着が困難な、選択して剥離される２つ以上の紙片を備えていれば、供給者は剥離された各紙片の内側に隠蔽された状態で、紙片の枚数分だけ情報を格納しておくことができる。そして、このような構成の情報担体シートを受け取った使用者は自ら選択して、使用者が決めた枚数の紙片だけ剥離する作業が可能となる。上記情報担体シートは剥離後に再接着が困難なことから、提供者は使用者に対して、使用者が決めた枚数以上の紙片を剥離した場合には無効と規定することにより、不正行為を防止することもできる。
【００１１】
ゆえに、かかる構成の情報担体シートならば、提供者が託した情報を使用者が自ら選択する機会を与えることが可能であり、この選択は紙片を剥離する作業のみで達成できることから、従来のスクラッチに伴うゴミの発生が解消されるとともに、封書の開封作業という煩わしさも不要となる。
【００１２】
上記紙片間は、（イ）水系エマルジョンやゴムラテックス、（ロ）ＵＶ硬化樹脂または（ハ）フィルム熱圧着により接着されていることが好ましい。
（イ）水系エマルジョンやゴムラテックスとは、アクリル系エマルジョン、天然ゴムラテックス、合成ゴムラテックス等の水性媒体を含むものである。
（ロ）ＵＶ硬化樹脂とは、アクリル系オリゴマーとアクリル系光重合開始剤とを含有するものである。
（ハ）フィルム熱圧着とは、２層の疑似接着フィルムを重ね合わせ、所定温度の熱を加え、疑似接着を形成するものである。
これらの方法によれば、使用者は特別な治具を用いることなく、重なっている紙片の一方あるいは両方の例えば端部を自らの指で摘み、紙片同士を剥がし紙片間を引き離すだけで容易に、紙片の隠蔽された面に提供者が託した情報を、使用者自らが選択して獲得できる。
【００１３】
上述した情報担体シートの具体例としては、以下に示す３つの構成が挙げられる。
第一の情報担体シートは、前記紙片がハガキとして機能し、各紙片は三つ折りをなしており、前記選択情報は剥離される紙片の内側に配置されてなる構成を有する。
かかる構成によれば、前記紙片の少なくとも一面がハガキとして機能する仕様を備えていることから、提供者が選択情報を使用者の元に郵送などの手段を用いて容易に配達することができる。配達前に三つ折りをなす２つの接着面のそれぞれに、提供者が選択情報を予め印刷などにより施しておき、配達後に使用者が何れかの接着面を自ら選択して剥離することが可能となる。その結果、提供者は、使用者が自らの意志で選択情報を例えば二者択一するように、使用者を自然に誘導することができる。
【００１４】
第二の情報担体シートは、前記紙片がハガキとして機能し、各紙片は四つ折りをなしており、前記選択情報はミシン目を用いて剥離される紙片の内側に配置されてなる構成を有する。
かかる構成によれば、前記紙片の少なくとも一面がハガキとして機能する仕様を備えていることから、提供者が選択情報を使用者の元に郵送などの手段を用いて容易に配達することができる。配達前に四つ折りをなす各紙片のうち、少なくともミシン目で区分される２つの面あるいは領域に、提供者が選択情報を予め印刷などにより施しておき、配達後に使用者が何れかの面あるいは領域を自ら選択し、ミシン目を切断しながら剥離することが可能となる。その結果、提供者は、使用者が自らの意志で選択情報を例えば二者択一するように、使用者を自然に誘導することができる。
【００１５】
第三の情報担体シートは、前記紙片がハガキとして機能し、各紙片は四つ折りをなしており、前記選択情報は観音開きにより剥離される紙片の内側に配置されてなる構成を有する。
かかる構成によれば、前記紙片の少なくとも一面がハガキとして機能する仕様を備えていることから、提供者が選択情報を使用者の元に郵送などの手段を用いて容易に配達することができる。配達前に四つ折りをなす各紙片のうち、少なくとも観音開きにより剥離される２つの面あるいは領域に、提供者が選択情報を予め印刷などにより施しておくと、配達後に使用者が何れかの面あるいは領域を自ら選択し、観音開きして剥離することが可能となる。その結果、提供者は、使用者が自らの意志で選択情報を例えば二者択一するように、使用者を自然に誘導することができる。
【発明の効果】
【００１６】
本発明に係る情報担体シートは、剥離後に再接着が困難な、選択して剥離される２つ以上の紙片を備えてなり、剥離された各紙片の内側には少なくとも選択情報が施されている構成を採用したことにより、情報の提供者は紙片の内側に隠蔽された状態で選択情報を使用者の元に送り届けることができ、使用者は自ら選択して、使用者が決めた紙片だけ剥離する作業により選択情報を得ることが可能となる。
したがって、使用者は大いなる期待感をもって選択情報に接することとなるので、本発明の情報担体シートは提供者が使用者に対して極めて強いインパクトを与えつつ、使用者に情報を提供する有効な手段となる。
【発明を実施するための最良の形態】
【００１７】
以下、実施の形態に基づいて本発明を詳しく説明する。
（第一の実施形態）
図１〜図３は、本発明に係る情報担体シートの一例を示す概略図であり、図１は接着前の状態を、図２は接着時の状態を、図３は剥離時の状態をそれぞれ表している。図１において（ａ）は一方の面を、（ｂ）は他方の面を示す。α１とα２は選択情報である。
図１の情報担体シート１０は３つの紙片Ａ〜Ｃで構成されており、図２に示すように紙片Ｂを挟んでＡ〜Ｃは三つ折りが可能なように配置されている。情報担体シート１０は１つの紙片Ｂ（一方の面Ｂ１、他方の面Ｂ２）に対して剥離後に再接着が困難な、選択して剥離される２つの紙片Ａ（一方の面Ａ１、他方の面Ａ２）と紙片Ｃ（一方の面Ｃ１、他方の面Ｃ２）を備えている。ここで、剥離後に再接着が困難な手段としては、例えば特開平４−４２８３号公報で開示された接着剤組成物が挙げられる。
【００１８】
図３に示すように、紙片Ｂから紙片Ａ（又は紙片Ｃ）を剥離すると、紙片ＡとＢが接していた面Ａ２と面Ｂ２（又は面Ｂ１と面Ｃ１）には、隠蔽された状態で少なくとも選択情報α１、α２を設けることができる。すなわち、前記選択情報α１、α２は剥離される紙片の内側に配置されてなる構成をなす。この選択情報α１、α２の具体例としては、図１に示すような紙片Ｂの一方の面Ｂ１に施された第一情報（はずれ）α１及ぶ紙片Ｂの他方の面Ｂ２に施された第二情報（あたり）α２が挙げられる。
【００１９】
図２に示すように、情報担体シート１０が接着されて三つ折りをなす状態にあれば、上記選択情報、すなわち第一情報α１及び第二情報α２は何人も見ることはできない。この状態で、例えば紙片Ａの一方の面Ａ１がハガキとして機能する体裁を備えていれば、情報の提供者は所望の使用者に対して図２の情報担体シート１０を発送することができる。その際、情報の提供者は、情報担体シート１０の表面Ａ１あるいは裏面Ｃ２に、この情報担体シート１０が有する選択情報α１、α２について説明する文章を記載しておく。この文章内容としては、例えば、情報担体シート１０を受け取った使用者は、紙片Ａあるいは紙片Ｃの何れか一方のみ開封することが許され、両方を開封した場合は選択情報α１、α２は無効となること、を示唆するものが挙げられる。
【００２０】
図２の情報担体シート１０が届けられた使用者は、上記選択情報α１、α２について説明する文章に従い、図３に示すように、例えば紙片Ａを紙片Ｂから剥離し、紙片Ｂの他方の面Ｂ２に施された第二情報（あたり）α２を確認する。ゆえに、図１〜３に示す情報担体シート１０は、情報の提供者が、紙片上に印刷して隠蔽した状態にある情報や内容を、使用者が自ら選択して確認するものとして好適である。情報担体シート１０は、情報を確認するＪ際に紙片を剥離するだけで良いことから、スクラッチ型のようにゴミが発生することは無く、また封書型のような開封の煩わしさもない。また、情報担体シート１０では、ひとたび剥離された紙片は再接着しない構成を採用しているので、剥離後に使用者がごまかしの操作を施すことができないという利点も備えている。
【００２１】
（第二の実施形態）
図４〜図６は、本発明に係る情報担体シートの他の一例を示す概略図であり、図４は接着前の状態を、図５は接着時の状態を、図６は剥離時の状態をそれぞれ表している。
図４の情報担体シート２０は４つの紙片Ｄ〜Ｇで構成されており、図５に示すように紙片Ｄ〜紙片Ｇは接しており、特に紙片Ｄと紙片Ｅの接片はミシン目（点線部）からなり、このミシン目を谷折りすることで、四つ折りが可能なように配置されている。図４の情報担体シート２０は、紙片Ｆ（一方の面Ｆ１、他方の面Ｆ２）と紙片Ｇ（一方の面Ｇ１、他方の面Ｇ２）に対して剥離後に再接着が困難な、選択して剥離される２つの紙片Ａ（一方の面Ａ１、他方の面Ａ２）と紙片Ｃ（一方の面Ｃ１、他方の面Ｃ２）を備えている。ここで、剥離後に再接着が困難な手段としては、例えば特開平４−４２８３号公報で開示された接着剤組成物が挙げられる。
【００２２】
図６に示すように、例えば紙片Ｆから紙片Ｄ（又は紙片Ｇから紙片Ｅ）を剥離すると、紙片Ｆと紙片Ｄ（又は紙片Ｇと紙片Ｅ）が接していた面Ｆ２と面Ｄ２（又は面Ｇ２と面Ｅ２）には、隠蔽された状態で少なくとも選択情報β１、β２を設けることができる。すなわち、前記選択情報β１、β２は剥離される紙片の内側に配置されてなる構成をなす。この選択情報の具体例としては、図４に示すような紙片Ｆの他方の面Ｆ２に施された第一情報（あたり）β１及ぶ紙片Ｇの他方の面Ｇ２に施された第二情報（はずれ）β２が挙げられる。
【００２３】
図４に示す選択情報β１、β２が施された面Ｆ２及び面Ｇ２が、それぞれ面Ｄ２及び面Ｅ２で接着された状態にあれば、上記選択情報、すなわち第一情報β１及び第二情報β２は何人も見ることはできない。この状態で、例えば紙片Ｆの一方の面Ｆ１がハガキとして機能する体裁を備えていれば、情報の提供者は所望の使用者に対して図５の情報担体シート２０を発送することができる。その際、情報の提供者は、情報担体シート２０の表面Ｆ１あるいは裏面Ｇ１などに、情報担体シート２０が有する選択情報β１、β２について説明する文章を記載しておく。この文章内容としては、例えば、情報担体シート２０を受け取った使用者は、紙片Ｄあるいは紙片Ｅの何れか一方のみ開封することが許され、両方を開封した場合は選択情報β１、β２は無効となること、を示唆するものが挙げられる。
【００２４】
図５の情報担体シート２０が届けられた使用者は、上記選択情報β１、β２について説明する文章に従い、図６に示すように、例えば紙片Ｄを紙片Ｆから剥離し、かつ紙片Ｆの他方の面Ｆ２に施された第二情報（あたり）β１を確認する。したがって、図４〜６に示す情報担体シート２０は、情報の提供者が、紙片上に印刷して隠蔽した状態にある情報や内容を、使用者が自ら選択して確認するものとして好適である。情報担体シート２０は、情報を確認する際に紙片を剥離するだけで良いことから、スクラッチ型のようにゴミが発生することは無く、また封書型のような開封の煩わしさもない。
【００２５】
また、情報担体シート２０では、ひとたび剥離された紙片は再接着しない構成を採用している。これに加えて、情報担体シート２０の場合は、使用者が、面Ｆ２と面Ｄ２に施された選択情報β１、β２を面内全域にわたって十分に確認するためには、紙片Ｄと紙片Ｅの接片であるミシン目（点線部）を切り裂く必要がある。ゆえに、図４〜図６に示す情報担体シート２０は、前述した図１〜図３の情報担体シート１０に比較して一段と、剥離後に使用者がごまかしの操作を施すことができないという利点も備えている。
【００２６】
（第三の実施形態）
図７〜図９は、本発明に係る情報担体シートの他の一例を示す概略図であり、図７は接着前の状態を、図８は接着時の状態を、図９は剥離時の状態をそれぞれ表している。
図７の情報担体シート３０は４つの紙片Ｈ〜Ｋで構成されており、図７に示すように紙片Ｈ〜紙片Ｋは横並びに接しており、特に紙片Ｈを紙片Ｉに、紙片Ｋを紙片Ｊにそれぞれ重ねたものを、さらに重ねることで、四つ折りが可能なように配置されている。図７の情報担体シート３０は、紙片Ｉ（一方の面Ｉ１、他方の面Ｉ２）と紙片Ｊ（一方の面Ｊ１、他方の面Ｊ２）に対して剥離後に再接着が困難な、選択して剥離される２つの紙片Ｈ（一方の面Ｈ１、他方の面Ｈ２）と紙片Ｋ（一方の面Ｋ１、他方の面Ｋ２）を備えている。ここで、剥離後に再接着が困難な手段としては、例えば特開平４−４２８３号公報で開示された接着剤組成物が挙げられる。
【００２７】
図９に示すように、例えば紙片Ｊから紙片Ｋ（又は紙片Ｉから紙片Ｈ）を剥離すると、紙片Ｊと紙片Ｋ（又は紙片Ｉと紙片Ｈ）が接していた面Ｊ２と面Ｋ２（又は面Ｉ２と面Ｈ２）には、隠蔽された状態で少なくとも選択情報γ１、γ２を設けることができる。すなわち、前記選択情報γ１、γ２は剥離される紙片の内側に配置されてなる構成をなす。この選択情報の具体例としては、図７に示すような紙片Ｉの他方の面Ｉ２に施された第一情報（はずれ）γ１及び紙片Ｊの他方の面Ｊ２に施された第二情報（あたり）γ２が挙げられる。
【００２８】
図８に示すように、選択情報の施された面Ｉ２及び面Ｊ２が、面Ｈ２及び面Ｋ２で接着された状態にあれば、上記選択情報、すなわち第一情報γ１及び第二情報γ２は何人も見ることはできない。この状態で、例えば紙片Ｈの一方の面Ｈ１がハガキとして機能する体裁を備えていれば、情報の提供者は所望の使用者に対して図８の情報担体シート３０を発送することができる。その際、情報の提供者は、情報担体シート３０の表面Ｈ１あるいは裏面Ｋ１などに、情報担体シート３０が有する選択情報γ１、γ２について説明する文章を記載しておく。この文章内容としては、例えば、情報担体シート３０を受け取った使用者は、紙片Ｈあるいは紙片Ｋの何れか一方のみ開封することが許され、両方を開封した場合は選択情報は無効となる、ことを示唆するものが挙げられる。
【００２９】
図８の情報担体シート３０が届けられた使用者は、上記選択情報γ１、γ２について説明する文章に従い、図９に示すように、例えば紙片Ｋを紙片Ｊから剥離し、かつ紙片Ｊの他方の面Ｊ２に施された第二情報（あたり）γ２を確認する。したがって、図７〜９に示す情報担体シート３０は、情報の提供者が、紙片上に印刷して隠蔽した状態にある情報や内容を、使用者が自ら選択して確認するものとして好適である。情報担体シート３０は、情報を確認する際に紙片を剥離するだけで良いことから、スクラッチ型のようにゴミが発生することは無く、また封書型のような開封の煩わしさもない。
【００３０】
また、情報担体シート３０では、ひとたび剥離された紙片は再接着しない構成を採用している。これに加えて、情報担体シート３０の場合は、紙片Ｉの一方の面Ｉ１と紙片Ｊの一方の面Ｊ１との間も剥離された紙片が再接着しない構成とすることにより第三情報γ３（不図示）を盛り込むことも可能となる。例えば、第二情報（あたり）γ２を引き当てた使用者のみが、第三情報γ３を確認できるという使用方法などが想定される。ゆえに、図７〜図９に示す情報担体シート３０は、前述した図１〜図３の情報担体シート１０や図４〜図６の情報担体シート２０に比較して多段階に選択情報を使用者に与えることが可能であり、また剥離後に使用者がごまかしの操作を施すことができないという利点も備えている。
【００３１】
以上説明したように、第一から第三の実施形態に記載した情報担体シート１０、２０、３０であれば何れであっても、情報の提供者が紙片上に印刷などにより施して隠蔽した状態にある情報や内容を、使用者が自ら選択して確認することが可能であり、さらにはこの確認の際に、ゴミが発生せず、開封の煩わしさのないものとすることができる。
【産業上の利用可能性】
【００３２】
本発明によれば、提供者が紙片上に印刷などにより施して隠蔽した状態にある情報や内容を、使用者が自ら選択して確認することが可能で、この確認作業に伴うゴミの発生が無く、封書のような開封の煩わしさを使用者が感じることの無い、情報担体シートを提供することができる。上記情報としては、例えば、くじ、占い、引換券、割引券などが挙げられる。
【図面の簡単な説明】
【００３３】
【図１】本発明に係る情報担体シートの一例を示す図であり、接着前の状態を示す平面図である。
【図２】図１の情報担体シートにおいて、接着時の状態を示す斜視図である。
【図３】図１の情報担体シートにおいて、剥離時の状態を示す斜視図である。
【図４】本発明に係る情報担体シートの他の一例を示す図であり、接着前の状態を示す平面図である。
【図５】図４の情報担体シートにおいて、接着時の状態を示す斜視図である。
【図６】図４の情報担体シートにおいて、剥離時の状態を示す斜視図である。
【図７】本発明に係る情報担体シートの他の一例を示す図であり、接着前の状態を示す平面図である。
【図８】図７の情報担体シートにおいて、接着時の状態を示す斜視図である。
【図９】図７の情報担体シートにおいて、剥離時の状態を示す斜視図である。
【符号の説明】
【００３４】
α１、α２、β１、β２、γ１、γ２、γ３  選択情報、
Ａ、Ｂ、Ｃ、Ｄ、Ｅ、Ｆ、Ｇ、Ｈ、Ｉ、Ｊ、Ｋ  紙片、
１０、２０、３０  情報担体シート。
【図１】
2005067141.tif 000003
【図２】
2005067141.tif 000004
【図３】
2005067141.tif 000005
【図４】
2005067141.tif 000006
【図５】
2005067141.tif 000007
【図６】
2005067141.tif 000008
【図７】
2005067141.tif 000009
【図８】
2005067141.tif 000010
【図９】
2005067141.tif 000011